(57)【特許請求の範囲】
【請求項１】
外部から流体を受け入れる入口と、前記入口から受け入れた前記流体を負荷に送り込む排出口と、前記排出口から戻された前記負荷に送り込んだ前記流体を外部に排出する出口と、を有するケースと、
前記ケースの内部に配置され前記排出口と前記出口を開閉するシート状の弁体と、
前記排出口と前記出口とが開閉するように前記弁体を作動させる切替手段と、を備えており、
前記ケースは、一部が弾性部材を介して形成されており、
前記切替手段は、前記流体の受け入れや送り込みや排出にともない前記ケースの内圧が変動することによる前記弾性部材の膨張や伸縮によって前記切替手段が前記弁体を作動させるように構成されており、
前記弾性部材は、ダイヤアラムから構成されているバルブユニット。
【請求項２】
請求項１に記載のバルブユニットであって、
前記切替手段は、
前記ケースの内部を軸方向にスライド可能に前記弾性部材に固着されている外ラッチと、
前記外ラッチの内部を軸方向にスライド可能に前記外ラッチの内部に組み付けられる内ラッチと、
前記ケースの内部を回転可能に前記ケースの内部に組み付けられるリボルバーと、を備え、
前記弁体は、
前記排出口を開閉する排出口弁と、
前記出口を開閉する出口弁と、を備え、
前記弾性部材の膨張や伸縮によって前記外ラッチや前記内ラッチが前記ケースの内部をスライドすると、前記リボルバーが前記ケースの内部を回転することで、前記排出口弁や前記出口弁が前記排出口や前記出口を開閉するバルブユニット。
【請求項３】
請求項２に記載のバルブユニットであって、
前記シート状の弁体は、弾性を有するように形成されており、
前記排出口弁や前記出口弁の閉動作は、前記弾性作用によって行われるバルブユニット。
【請求項４】
請求項３に記載のバルブユニットであって、
前記排出口弁や前記出口弁の閉じ状態は、前記内圧によって保たれているバルブユニット。
【請求項５】
請求項１〜４のいずれかに記載のバルブユニットを備えた乗物用シートであって、
前記負荷は、シートクッションおよび／またはシートバックに備えられたマッサージ袋である乗物用シート。
【発明の詳細な説明】
【技術分野】
【０００１】
本発明は、バルブユニットに関する。
【背景技術】
【０００２】
従来、マッサージシートに用いるバルブユニット２２０として、例えば、特許文献１に開示されている技術が既に知られている（図２３参照）。この技術では、圧縮ばねｓ１の伸縮を用いて流体供給支管２４０を回動させることで、流体の流路２２６の切り替えが行われている。これにより、流体の送給切り替えを流体自身の圧力で確実に実施できる。
【先行技術文献】
【特許文献】
【０００３】
【特許文献１】特開昭５７−７２６４２号公報
【発明の概要】
【発明が解決しようとする課題】
【０００４】
しかしながら、上述した特許文献１の技術では、流路２２６の切り替え部分の摺動抵抗が高く、シール部材の劣化が懸念されていた。また、部品点数も多く必要となっていた。
【０００５】
本発明は、このような課題を解決しようとするもので、その目的は、シール部材の劣化の懸念を招くことなく、部品点数も抑えることができるバルブユニットを提供することである。
【課題を解決するための手段】
【０００６】
本発明は、上記の目的を達成するためのものであって、以下のように構成されている。請求項１に記載の発明は、外部から流体を受け入れる入口と、入口から受け入れた流体を負荷に送り込む排出口と、排出口から戻された負荷に送り込んだ流体を外部に排出する出口と、を有するケースと、ケースの内部に配置され排出口と出口を開閉するシート状の弁体と、排出口と出口とが開閉するように弁体を作動させる切替手段とを備えている。ケースは、一部が弾性部材を介して形成されている。切替手段は、流体の受け入れや送り込みや排出にともないケースの内圧が変動することによる弾性部材の膨張や伸縮によって切替手段が弁体を作動させるように構成されている。弾性部材は、ダイアフラムから構成されている。
【０００７】
請求項１の発明によれば、ケースの排出口を切り替え部分の抵抗が高くなることがない。したがって、弁体の排出口弁の劣化の懸念を招くことがない。また、排出口弁や出口弁は弁体に一体的に形成されているため、部品点数を多く必要とすることがない。
【００１０】
また、請求項２に記載の発明は、請求項１に記載のバルブユニットであって、切替手段は、ケースの内部を軸方向にスライド可能に弾性部材に固着されている外ラッチと、外ラッチの内部を軸方向にスライド可能に外ラッチの内部に組み付けられる内ラッチと、ケースの内部を回転可能にケースの内部に組み付けられるリボルバーと、を備えている。弁体は、排出口を開閉する排出口弁と、出口を開閉する出口弁と、を備えている。弾性部材の膨張や伸縮によって外ラッチや内ラッチがケースの内部をスライドすると、リボルバーがケースの内部を回転することで、排出口弁や出口弁が排出口や出口を開閉する。
【００１１】
請求項２の発明によれば、排出口弁や出口弁による排出口や出口の開閉を簡便に行うことができる。
【００１２】
また、請求項３に記載の発明は、請求項２に記載のバルブユニットであって、前記シート状の弁体は、弾性を有するように形成されており、排出口弁や出口弁の閉動作は、弾性作用によって行われる。
【００１３】
請求項３の発明によれば、弾性部材の弾性によって排出口弁や出口弁を閉じることができる。そのため、排出口や出口を確実に閉じることができる。
【００１４】
また、請求項４に記載の発明は、請求項３に記載のバルブユニットであって、前記排出口弁や前記出口弁の閉じ状態は、前記内圧によって保たれている。
【００１５】
請求項４の発明によれば、排出口や出口の密閉の度合いを高めることができる。
【００１６】
また、請求項５に記載の発明は、請求項１〜４のいずれかに記載のバルブユニットを備えた乗物用シートであって、負荷は、シートクッションおよび／またはシートバックに備えられたマッサージ袋である。
【００１７】
請求項５の発明によれば、乗物用シートの着座者に対して、マッサージを施すことができる。
【図面の簡単な説明】
【００１８】
【図１】本発明の実施例に係る乗物用シートの全体斜視図である。
【図２】図１の乗物用シートに備えられているマッサージシステムの全体構成図である。
【図３】図２のバルブユニットの全体斜視図である。
【図４】図３の縦断面の模式図である。
【図５】図３の分解図である。
【図６】図５のフィルム弁体における第１の外側弁の拡大図である。
【図７】図５の縦断面の一部の模式図である。
【図８】図７に示す状態から、リボルバーが１ノッチ回転した状態を示す図である。
【図９】図８に示す状態から、リボルバーが１ノッチ回転した状態を示す図である。
【図１０】図２のマッサージシステムの動作パターンを説明する全体図である。
【図１１】図４のバルブユニットの次の動作を説明する図であり、マッサージシステムの第２の工程を説明する図である。
【図１２】図１１のバルブユニットの次の動作を説明する図であり、マッサージシステムの第３の工程を説明する図である。
【図１３】図１２のバルブユニットの次の動作を説明する図であり、マッサージシステムの第４の工程を説明する図である。
【図１４】図１３のバルブユニットの次の動作を説明する図であり、マッサージシステムの第５の工程を説明する図である。
【図１５】図１４のバルブユニットの次の動作を説明する図であり、マッサージシステムの第６の工程を説明する図である。
【図１６】図１５のバルブユニットの次の動作を説明する図であり、マッサージシステムの第７の工程を説明する図である。
【図１７】図１６のバルブユニットの次の動作を説明する図であり、マッサージシステムの第８の工程を説明する図である。
【図１８】図１７のバルブユニットの次の動作を説明する図であり、マッサージシステムの第９の工程を説明する図である。
【図１９】図１８のバルブユニットの次の動作を説明する図であり、マッサージシステムの第１０の工程を説明する図である。
【図２０】図１９のバルブユニットの次の動作を説明する図であり、マッサージシステムの第１１の工程を説明する図である。
【図２１】図２０のバルブユニットの次の動作を説明する図であり、マッサージシステムの第１２の工程を説明する図である。
【図２２】シート状の弁体の変形例である。
【図２３】従来技術に係るバルブユニットの縦断面図である。
【発明を実施するための形態】
【００１９】
以下、本発明を実施するための形態を、図１〜２１を用いて説明する。まず、実施例に係る乗物用シート１に適用されているマッサージシステム１０を説明する。このマッサージシステム１０は、シートクッション２とシートバック３とを有する乗物用シート１に適用されており、主として、バルブユニット２０と、このバルブユニット２０と連通するポンプ８０と、このバルブユニット２０と連通する６個のマッサージ袋９０とから構成されている（図１〜２参照）。
【００２０】
このポンプ８０は、配管８２を介してバルブユニット２０と連通している。また、このマッサージ袋９０は、シートクッション２の内部に設けられる第１のマッサージ袋９０ａ、第２のマッサージ袋９０ｂ、第３のマッサージ袋９０ｃと、シートバック３の内部に設けられる第４のマッサージ袋９０ｄ、第５のマッサージ袋９０ｅ、第６のマッサージ袋９０ｆとから構成されている。これら各マッサージ袋９０ａ、・・・、９０ｆは、各配管Ｈ１、・・・Ｈ６を介してそれぞれバルブユニット２０と連通している。
【００２１】
ここで、図３〜７を参照して、このバルブユニット２０について詳述すると、このバルブユニット２０は、開口２２ａの反対側に底面２２ｂが形成された中空の円柱状の筐体２２と、この筐体２２の開口２２ａを塞ぐ蓋カバー３０と、この筐体２２の内部に配置されるフィルム弁体４０と、このフィルム弁体４０を作動させる切替手段５０と、から構成されている（図３〜５参照）。以下に、これら筐体２２と、蓋カバー３０と、フィルム弁体４０と、切替手段５０とを個別に説明していく。
【００２２】
まず、筐体２２から説明する。筐体２２の外周面には、入口２４が形成されている。この入口２４は、既に説明したポンプ８０の配管８２に対して連通している。また、筐体２２の底面２２ｂの外周側には、周方向に沿って均等の間隔を成すように６個の排出口２６（第１の排出口２６ａ、・・・、第６の排出口２６ｆ）が形成されている。これら６個の排出口２６（第１の排出口２６ａ、・・・、第６の排出口２６ｆ）は、既に説明した６個のマッサージ袋９０（第１のマッサージ袋９０ａ、・・・、第６のマッサージ袋９０ｆ）に対してそれぞれ連通している。
【００２３】
また、筐体２２の底面２２ｂには、筐体２２の内部に配置するフィルム弁体４０の３個の切欠４０ａに対応する３個の突部２２ｃが形成されている。また、筐体２２の開口２２ａの縁には、蓋カバー３０を取り付けるためのビス孔２２ｄを有する３個のフランジ２２ｅが形成されている。また、筐体２２の底面２２ｂの内周側には、周方向に沿って均等の間隔を成すように２個の出口２８（第１の出口２８ａ、第２の出口２８ｂ）が形成されている。この２個の出口２８（第１の出口２８ａ、第２の出口２８ｂ）は、筐体２２の外部に対して連通している。このように形成されている筐体２２は、シートクッション２のフレーム（図示しない）に組み付けられている。
【００２４】
次に、蓋カバー３０を説明する。蓋カバー３０の内側は円状に切り欠かれ、この切り欠かれた部位は円形のダイアフラム（圧力の作用に応じ、変位を生じる膜）３２によって塞がれている。このダイアフラム３２の円形の中心には、後述する外ラッチ５２の支持軸５２ａを挿し込み可能な挿込孔３２ａが形成されている。また、蓋カバー３０の縁には、ビス孔３４ａを有する３個のフランジ３４が形成されている。
【００２５】
また、蓋カバー３０の下面（内面）の外周側には、３本の位置決めピン３６が周方向に沿って均等の間隔を成すように形成されている。また、蓋カバー３０の下面の内周側には、３本の位置決めピン３８が周方向に沿って均等の間隔を成すように形成されている。このように形成されている蓋カバー３０は、３個のフランジ３４の各ビス孔３４ａに挿し込まれた３本のビスＢを筐体２２の３個のフランジ２２ｅの各ビス孔２２ｄに螺合させて筐体２２に組み付けられている。
【００２６】
次に、フィルム弁体４０を説明する。フィルム弁体４０は、シート状の円形のフィルムから構成されている。このフィルム弁体４０の外側には周方向に沿って均等の間隔を成すように６個の外側弁４２（第１の外側弁４２ａ、・・・、第６の外側弁４２ｆ）が形成されている（図５参照）。この外側弁４２は、フィルム弁体４０を略Ｕ字に切り欠いた切欠片４４から形成されている（図６参照）。このとき、切欠片４４には、その先端側が折り返されて固着された折返部４４ａが形成されている。この折返部４４ａにより、錘が形成されることとなる。
【００２７】
そのため、切欠片４４の捲り状態（外側弁４２の開状態）を解消させると、この折返部４４ａの自重により切欠片４４を捲り前の状態（外側弁４２の閉状態）に戻すことができる。これと同様に、フィルム弁体４０の内側には周方向に沿って均等の間隔を成すように２個の内側弁４６（第１の内側弁４６ａ、第２の内側弁４６ｂ）が形成されている（図５参照）。この内側弁４６も、外側弁４２と同様に、フィルム弁体４０を略Ｕ字に切り欠いた切欠片から形成されている。このとき、切欠片には、外側弁４２の切欠片４４と同様に、その先端側から折り返した折返部が形成されている。この折返部により、錘が形成されることとなる。
【００２８】
そのため、切欠片の捲り状態（内側弁４６の開状態）を解消させると、この折返部の自重により切欠片を捲り前の状態（内側弁４６の閉状態）に戻すことができる。このフィルム弁体４０の縁には、筐体２２に形成されている３個の突起２２ｃに対応する（嵌め合い状態となる）３個の凹み４０ａが形成されている。このように形成されているフィルム弁体４０は、その３個の凹み４０ａが筐体２２の３個の突起２２ｃに対応するように筐体２２の底面２２ｂに載せられている。
【００２９】
なお、このフィルム弁体４０の第１の外側弁４２ａは、筐体２２の第１の排出口２６ａを開閉可能となっている。また、このフィルム弁体４０の第２の外側弁４２ｂは、筐体２２の第２の排出口２６ｂを開閉可能となっている。また、このフィルム弁体４０の第３の外側弁４２ｃは、筐体２２の第３の排出口２６ｃを開閉可能となっている。また、このフィルム弁体４０の第４の外側弁４２ｄは、筐体２２の第４の排出口２６ｄを開閉可能となっている。
【００３０】
また、このフィルム弁体４０の第５の外側弁４２ｅは、筐体２２の第５の排出口２６ｅを開閉可能となっている。また、このフィルム弁体４０の第６の外側弁４２ｆは、筐体２２の第６の排出口２６ｆを開閉可能となっている。これと同様に、このフィルム弁体４０の第１の内側弁４６ａと第２の内側弁４６ｂとは、筐体２２の第１の出口２８ａと第２の出口２８ｂとを開閉可能となっている。
【００３１】
最後に、切替手段５０を説明する。切替手段５０は、外ラッチ５２と、内ラッチ６０と、リボルバー７０とから構成されている。外ラッチ５２は、筐体２２の内部を昇降可能（軸方向にスライド可能）な略円形のプレートから構成されている。この外ラッチ５２の円形の中心には、支持軸５２ａが形成されている。この支持軸５２ａの先端には、後述するナットＮに螺合可能なねじ山が形成されている。
【００３２】
また、外ラッチ５２の上面（外面）には、３本の位置決めピン５２ｂが周方向に沿って均等の間隔を成すように等間隔で形成されている。また、外ラッチ５２には、３個の圧縮ばねＳ２をそれぞれ挿し込み可能な３個の挿込孔５２ｃが周方向に沿って均等の間隔を成すように形成されている。また、外ラッチ５２の下面（内面）の外周側には、６個の噛合歯５４が周方向に沿って均等の間隔を成すように形成されている。また、外ラッチ５２の下面の内周側には、後述する内ラッチ６０を嵌め合い可能な凹み５６が形成されている。
【００３３】
このように形成されている外ラッチ５２は、その支持軸５２ａが蓋カバー３０のダイアフラム３２の挿込孔３２ａに挿し込まれた状態でナットＮを介してダイアフラム３２に固着されている。このとき、蓋カバー３０の３本の位置決めピン３６と外ラッチ５２の３本の位置決めピン５２ｂとには、３個の圧縮ばねＳ１がそれぞれ挿し込まれている。これにより、蓋カバー３０に対して外ラッチ５２が近づくようにスライド（上昇）すると、スライドした外ラッチ５２が蓋カバー３０から遠ざかるように付勢力が作用する。
【００３４】
内ラッチ６０は、上述した外ラッチ５２の凹み５６を昇降可能（軸方向にスライド可能）な略円形のプレートから構成されている。また、内ラッチ６０の上面（外面）には、３本の位置決めピン６０ａが周方向に沿って均等の間隔を成すように形成されている。また、内ラッチ６０の下面（内面）の外周側には、６個の噛合歯６２が周方向に沿って均等の間隔を成すように形成されている。
【００３５】
このように形成されている内ラッチ６０は、その３本の位置決めピン６０ａが外ラッチ５２の挿込孔５２ｃに挿し込まれた状態で外ラッチ５２の凹み５６に組み付けられている。このとき、蓋カバー３０の３本の位置決めピン３８と内ラッチ６０の３本の位置決めピン６０ａとには、３個の圧縮ばねＳ２がそれぞれ挿し込まれている。これにより、蓋カバー３０に対して内ラッチ６０が近づくようにスライド（上昇）すると、スライドした内ラッチ６０が蓋カバー３０から遠ざかるように付勢力が作用する。
【００３６】
リボルバー７０は、筐体２２の内部を回転可能（筐体２２の内部を軸方向に回転可能）な略円形のプレートから構成されている。リボルバー７０の上面（外面）には、６個の噛合歯７２が周方向に沿って均等の間隔を成すように形成されている。また、リボルバー７０の下面（内面）の外周側には、外周カム７４が形成されている（図５、７参照）。この外周カム７４は、図７から明らかなように、大きく突出した第１のカム部７４ａと小さく突出した第２のカム部７４ｂとを備えている。また、リボルバー７０の下面の内周側には、６個の内周カム７６（第１の内周カム７６ａ、・・・、第６の内周カム７６ｆ）が周方向に沿って等間隔で形成されている。このように形成されているリボルバー７０は、フィルム弁体４０の上に載せられている。
【００３７】
これら外ラッチ５２と、内ラッチ６０と、リボルバー７０とから切替手段５０は構成されている。また、これら筐体２２と、蓋カバー３０と、フィルム弁体４０と、切替手段５０とからバルブユニット２０は構成されている。
【００３８】
続いて、図４、８〜２１を参照して、上述したバルブユニット２０の動作を説明する。なお、図４では、周方向に形成されている排出口２６（第１の排出口２６ａ、・・・第６の排出口２６ｆ）と、周方向に形成されている出口２８（第１の出口２８ａ、第２の出口２８ｂ）とを模式的に直線的に配置している。このことは、後述する図１１〜２１においても同様である。このバルブユニット２０は、常に、１つの外側弁４２が開状態となっている。そのため、この実施例では、外側弁４２のうち、第１の外側弁４２ａが開状態となっている例を説明する（図４、図１０の第１の工程参照）。
【００３９】
この状態では、図４から明らかなように、リボルバー７０の外周カム７４の第１のカム部７４ａがフィルム弁体４０の第１の外側弁４２ａが開状態となるように第１の外側弁４２ａの切欠片４４を捲りあげている（図８参照）。また、この状態では、圧縮ばねＳ１の付勢力によって外ラッチ５２の噛合歯５４とリボルバー７０の噛合歯７２とが噛み合っている。また、この状態では、圧縮ばねＳ２によって内ラッチ６０の噛合歯６２とリボルバー７０の噛合歯７２とが噛み合っている。また、この状態では、圧縮ばねＳ２は撓んだ状態となっている。
【００４０】
この図４に示す状態から、ポンプ８０を作動させると、このポンプ８０から筐体２２の入口２４を介してエアが送られる。すると、筐体２２の内部の圧力が上昇するため（送られたエアの逃げ場が筐体２２の内部にないため）、ダイアフラム３２と第１のマッサージ袋９０ａとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０が１ノッチ（３０°）回転する（図１０の第２の工程、図１１参照）。
【００４１】
すると、リボルバー７０の外周カム７４の第２のカム部７４ｂが第１の外側弁４２ａの切欠片４４を捲りあげる（図９参照）。そのため、フィルム弁体４０の第１の外側弁４２ａの開状態が保持されたままとる。これと同時に、リボルバー７０の内周カム７６の第１の内周カム７６ａと第４の内周カム７６ｄとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００４２】
このように開状態となると、筐体２２の内部の圧力が下降するため、膨らんだダイアフラム３２と第１のマッサージ袋９０ａとが膨らみ前の状態（伸縮状態）に戻される。このように戻されると、圧縮ばねＳ１の付勢力によって外ラッチ５２が下降するため、外ラッチ５２の噛合歯５４とリボルバー７０の噛合歯７２との噛み合いによってリボルバー７０がさらに１ノッチ（３０°）回転する（図１０の第３の工程、図１２参照）。
【００４３】
すると、リボルバー７０の外周カム７４の第１のカム部７４ａが第２の外側弁４２ｂの切欠片４４を捲りあげる。そのため、フィルム弁体４０の第２の外側弁４２ｂが開状態となる。これと同時に、第１の内側弁４６ａの切欠片４８と第２の内側弁４６ｂの切欠片４８とに対するリボルバー７０の内周カム７６の第１の内周カム７６ａと第４の内周カム７６ｄとの捲りあげが解消される。これにより、フィルム弁体４０の第１の内側弁４６ａと第２の内側弁４６ｂとが閉状態となる。
【００４４】
このように閉状態となると、筐体２２の内部の圧力が上昇するため、ダイアフラム３２と第２のマッサージ袋９０ｂとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０がさらに１ノッチ（３０°）回転する（図１０の第４の工程、図１３参照）。
【００４５】
すると、リボルバー７０の外周カム７４の第２のカム部７４ｂが第２の外側弁４２ｂの切欠片４４を捲りあげる。そのため、フィルム弁体４０の第２の外側弁４２ｂの開状態が保持されたままとる。これと同時に、リボルバー７０の内周カム７６の第６の内周カム７６ｆと第３の内周カム７６ｃとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００４６】
このように開状態となると、筐体２２の内部の圧力が下降するため、膨らんだダイアフラム３２と第２のマッサージ袋９０ｂとが膨らみ前の状態（伸縮状態）に戻される。このように戻されると、圧縮ばねＳ１の付勢力によって外ラッチ５２が下降するため、外ラッチ５２の噛合歯５４とリボルバー７０の噛合歯７２との噛み合いによってリボルバー７０がさらに１ノッチ（３０°）回転する（図１０の第５の工程、図１４参照）。
【００４７】
すると、リボルバー７０の外周カム７４の第１のカム部７４ａが第３の外側弁４２ｃの切欠片４４を捲りあげる。そのため、フィルム弁体４０の第３の外側弁４２ｃが開状態となる。これと同時に、第１の内側弁４６ａの切欠片４８と第２の内側弁４６ｂの切欠片４８とに対するリボルバー７０の内周カム７６の第６の内周カム７６ｆと第３の内周カム７６ｃとの捲りあげが解消される。これにより、フィルム弁体４０の第１の内側弁４６ａと第２の内側弁４６ｂとが閉状態となる。
【００４８】
このように閉状態となると、筐体２２の内部の圧力が上昇するため、ダイアフラム３２と第３のマッサージ袋９０ｃとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０がさらに１ノッチ（３０°）回転する（図１０の第６の工程、図１５参照）。
【００４９】
すると、リボルバー７０の外周カム７４の第２のカム部７４ｂが第３の外側弁４２ｃの切欠片４４を捲りあげる。そのため、フィルム弁体４０の第３の外側弁４２ｃの開状態が保持されたままとる。これと同時に、リボルバー７０の内周カム７６の第５の内周カム７６ｅと第２の内周カム７６ｂとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００５０】
このように開状態となると、筐体２２の内部の圧力が下降するため、膨らんだダイアフラム３２と第２のマッサージ袋９０ｂとが膨らみ前の状態（伸縮状態）に戻される。このように戻されると、圧縮ばねＳ１の付勢力によって外ラッチ５２が下降するため、外ラッチ５２の噛合歯５４とリボルバー７０の噛合歯７２との噛み合いによってリボルバー７０がさらに１ノッチ（３０°）回転する（図１０の第７の工程、図１６参照）。
【００５１】
すると、リボルバー７０の外周カム７４の第１のカム部７４ａが第４の外側弁４２ｄの切欠片４４を捲りあげる。そのため、フィルム弁体４０の第４の外側弁４２ｄが開状態となる。これと同時に、第１の内側弁４６ａの切欠片４８と第２の内側弁４６ｂの切欠片４８とに対するリボルバー７０の内周カム７６の第５の内周カム７６ｅと第２の内周カム７６ｂとの捲りあげが解消される。これにより、フィルム弁体４０の第１の内側弁４６ａと第２の内側弁４６ｂとが閉状態となる。
【００５２】
このように閉状態となると、筐体２２の内部の圧力が上昇するため、ダイアフラム３２と第４のマッサージ袋９０ｄとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０がさらに１ノッチ（３０°）回転する（図１０の第８の工程、図１７参照）。
【００５３】
すると、リボルバー７０の外周カム７４の第２のカム部７４ｂが第４の外側弁４２ｄの切欠片４４を捲りあげる。そのため、フィルム弁体４０の第４の外側弁４２ｄの開状態が保持されたままとる。これと同時に、リボルバー７０の内周カム７６の第１の内周カム７６ａと第４の内周カム７６ｄとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００５４】
このように開状態となると、筐体２２の内部の圧力が下降するため、膨らんだダイアフラム３２と第４のマッサージ袋９０ｄとが膨らみ前の状態（伸縮状態）に戻される。このように戻されると、圧縮ばねＳ１の付勢力によって外ラッチ５２が下降するため、外ラッチ５２の噛合歯５４とリボルバー７０の噛合歯７２との噛み合いによってリボルバー７０がさらに１ノッチ（３０°）回転する（図１０の第９の工程、図１８参照）。
【００５５】
すると、リボルバー７０の外周カム７４の第１のカム部７４ａが第５の外側弁４２ｅの切欠片４４を捲りあげる。そのため、フィルム弁体４０の第５の外側弁４２ｅが開状態となる。これと同時に、第１の内側弁４６ａの切欠片４８と第２の内側弁４６ｂの切欠片４８とに対するリボルバー７０の内周カム７６の第１の内周カム７６ａと第４の内周カム７６ｄとの捲りあげが解消される。これにより、フィルム弁体４０の第１の内側弁４６ａと第２の内側弁４６ｂとが閉状態となる。
【００５６】
このように閉状態となると、筐体２２の内部の圧力が上昇するため、ダイアフラム３２と第５のマッサージ袋９０ｅとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０がさらに１ノッチ（３０°）回転する（図１０の第１０の工程、図１９参照）。
【００５７】
すると、リボルバー７０の外周カム７４の第２のカム部７４ｂが第５の外側弁４２ｅの切欠片４４を捲りあげる。そのため、フィルム弁体４０の第５の外側弁４２ｅの開状態が保持されたままとる。これと同時に、リボルバー７０の内周カム７６の第６の内周カム７６ｆと第３の内周カム７６ｃとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００５８】
このように開状態となると、筐体２２の内部の圧力が下降するため、膨らんだダイアフラム３２と第５のマッサージ袋９０ｅとが膨らみ前の状態（伸縮状態）に戻される。このように戻されると、圧縮ばねＳ１の付勢力によって外ラッチ５２が下降するため、外ラッチ５２の噛合歯５４とリボルバー７０の噛合歯７２との噛み合いによってリボルバー７０がさらに１ノッチ（３０°）回転する（図１０の第１１の工程、図２０参照）。
【００５９】
すると、リボルバー７０の外周カム７４の第１のカム部７４ａが第６の外側弁４２ｆの切欠片４４を捲りあげる。そのため、フィルム弁体４０の第６の外側弁４２ｆが開状態となる。これと同時に、第１の内側弁４６ａの切欠片４８と第２の内側弁４６ｂの切欠片４８とに対するリボルバー７０の内周カム７６の第６の内周カム７６ｆと第３の内周カム７６ｃとの捲りあげが解消される。これにより、フィルム弁体４０の第１の内側弁４６ａと第２の内側弁４６ｂとが閉状態となる。
【００６０】
このように閉状態となると、筐体２２の内部の圧力が上昇するため、ダイアフラム３２と第６のマッサージ袋９０ｆとが膨らんでいく。このようにダイアフラム３２が膨らむと、圧縮ばねＳ１の付勢力に抗して外ラッチ５２が上昇するため、外ラッチ５２の噛合歯５４とリボルバー７０の噛合歯７２との噛み合いが解消される。これにより、圧縮ばねＳ２の付勢力によって内ラッチ６０が下降するため、内ラッチ６０の噛合歯６２とリボルバー７０の噛合歯７２との噛み合いによってリボルバー７０がさらに１ノッチ（３０°）回転する（図１０の第１２の工程、図２１参照）。
【００６１】
すると、リボルバー７０の外周カム７４の第２のカム部７４ｂが第６の外側弁４２ｆの切欠片４４を捲りあげる。そのため、フィルム弁体４０の第６の外側弁４２ｆの開状態が保持されたままとる。これと同時に、リボルバー７０の内周カム７６の第５の内周カム７６ｅと第２の内周カム７６ｂとが第１の内側弁４６ａの切欠片４８と第２の内側弁４６ｂの切欠片４８とを捲りあげる。これにより、フィルム弁体４０の第１の内側弁４６ａと第２の内側弁４６ｂとが開状態となる。
【００６２】
これら第１の工程〜第１２の工程により、第１のマッサージ袋９０ａを膨らませ、その後、この第１のマッサージ袋９０ａの膨らみを解消させる（縮ませる）ことができる。次に、第２のマッサージ袋９０ｂを膨らませ、その後、この第２のマッサージ袋９０ｂの膨らみを解消させる（縮ませる）ことができる。次に、第３のマッサージ袋９０ｃを膨らませ、その後、この第３のマッサージ袋９０ｃの膨らみを解消させる（縮ませる）ことができる。
【００６３】
次に、第４のマッサージ袋９０ｄを膨らませ、その後、この第４のマッサージ袋９０ｄの膨らみを解消させる（縮ませる）ことができる。次に、第５のマッサージ袋９０ｅを膨らませ、その後、この第５のマッサージ袋９０ｅの膨らみを解消させる（縮ませる）ことができる。最後に、第６のマッサージ袋９０ｆを膨らませ、その後、この第６のマッサージ袋９０ｆの膨らみを解消させる（縮ませる）ことができる。
【００６４】
すなわち、第１のマッサージ袋９０ａをＯＮ→第１のマッサージ袋９０ａをＯＦＦ→第２のマッサージ袋９０ｂをＯＮ→第２のマッサージ袋をＯＦＦ→第３のマッサージ袋９０ｃをＯＮ→第３のマッサージ袋をＯＦＦ→第４のマッサージ袋９０ｄをＯＮ→第４のマッサージ袋をＯＦＦ→第５のマッサージ袋９０ｅをＯＮ→第５のマッサージ袋をＯＦＦ→第６のマッサージ袋９０ｆをＯＮ→第６のマッサージ袋をＯＦＦとなるように順に作動させることができる。したがって、乗物用シート１の着座者に対して、マッサージを施すことができる。
【００６５】
本発明の実施例に係るバルブユニット２０は、上述したように構成されている。この構成によれば、筐体２２の排出口２６を切り替え部分の抵抗が高くなることがない。したがって、フィルム弁体４０の外側弁４２の劣化の懸念を招くことがない。また、外側弁４２や内側弁４６はフィルム弁体４０に一体的に形成されているため、部品点数を多く必要とすることがない。
【００６６】
また、この構成によれば、外側弁４２や内側弁４６による排出口２６や出口２８の開閉を簡便に行うことができる。
【００６７】
また、この構成によれば、ダイアフラム３２の弾性によって外側弁４２や内側弁４６を閉じることができる。そのため、排出口２６や出口２８を確実に閉じることができる。
【００６８】
また、この構成によれば、外側弁４２や内側弁４６の閉じ状態は、筐体２２の内圧によって保たれている。そのため、排出口２６や出口２８の密閉の度合いを高めることができる。
【００６９】
また、この構成によれば、乗物用シート１の着座者に対して、マッサージを施すことができる。
【００７０】
上述した内容は、あくまでも本発明の一実施の形態に関するものであって、本発明が上記内容に限定されることを意味するものではない。
【００７１】
実施例では、外側弁４２は、フィルム弁体４０を略Ｕ字に切り欠いた切欠片４４から形成され、この切欠片４４には、その先端側から折り返した折返部４４ａが形成され、この折返部４４ａにより、錘が形成される形態を説明した。しかし、これに限定されるものでなく、切欠片４４の先端に剛性を有する合成樹脂から成る錘が一体的に成形される形態でも構わない。また、折返部４４ａ、に換えて磁石を取り付けても構わない。その場合、リボルバー７０にも磁石を取り付けておき、これらの磁石の磁力を利用して外側弁４２を開閉することとなる。これらのことは、内側弁４６も同様である。
【００７２】
また、実施例では、フィルム弁体４０は、シート状の円形のフィルムから構成されている形態を説明した。しかし、これに限定されるものでなく、シート状の円形のエラストマから構成されている形態でも構わない。その場合、錘もエラストマから一体的に成形されることとなる。
【００７３】
また、実施例では、シート状の弁体は、切欠片４４から成る外側弁４２と、切欠片４８から成る内側弁４６とを有する円形のフィルム弁体４０から構成されている形態を説明した。しかし、これに限定されるものでなく、シート状の弁体は、切欠片１４４から成る外側弁１４２（第１の外側弁１４２ａ、・・・、第６の外側弁１４２ｆ）と、切欠片１４８から成る内側弁１４６（第１の内側弁１４６ａ、第２の内側弁１４６ｂ）とを有する円形の板ばね１４０から構成されている形態でも構わない（図２２参照）。
【００７４】
このように板ばね１４０から構成されていると、例えば、リボルバー７０の外周カム７４によって切欠片１４４を捲り前の状態（外側弁１４２の閉状態）となるように切欠片１４４を押し付けていても、この押し付けを解消させると切欠片１４４に作用するばね力によって切欠片１４４を捲り状態（外側弁１４２の開状態）にできる。このことは内側弁１４６においても同様である。そのため、実施例で説明したように、外側弁４２を開閉するときに錘の自重を必要としない。したがって、バルブユニット２０の組み付け方向を上下方向に限定する必要がなくなるため、バルブユニット２０の使用用途を広げることができる。
【００７５】
また、実施例では、第１のマッサージ袋９０ａをＯＮ→第１のマッサージ袋９０ａをＯＦＦ→第２のマッサージ袋９０ｂをＯＮ→第２のマッサージ袋をＯＦＦ→第３のマッサージ袋９０ｃをＯＮ→第３のマッサージ袋をＯＦＦ→第４のマッサージ袋９０ｄをＯＮ→第４のマッサージ袋をＯＦＦ→第５のマッサージ袋９０ｅをＯＮ→第５のマッサージ袋をＯＦＦ→第６のマッサージ袋９０ｆをＯＮ→第６のマッサージ袋をＯＦＦとなるように順に作動させる形態を説明した。しかし、これに限定されるものでなく、第１のマッサージ袋９０ａ、第２のマッサージ袋９０ｂ、第３のマッサージ袋９０ｃ、第４のマッサージ袋９０ｄ、第５のマッサージ袋９０ｅ、第６のマッサージ袋９０ｆを同時にＯＮ→第１のマッサージ袋９０ａ、第２のマッサージ袋９０ｂ、第３のマッサージ袋９０ｃ、第４のマッサージ袋９０ｄ、第５のマッサージ袋９０ｅ、第６のマッサージ袋９０ｆを同時にＯＦＦさせる形態でも構わない。
【００７６】
また、第１のマッサージ袋９０ａ、第２のマッサージ袋９０ｂ、第３のマッサージ袋９０ｃ、第４のマッサージ袋９０ｄ、第５のマッサージ袋９０ｅ、第６のマッサージ袋９０ｆを同時にＯＮ→第１のマッサージ袋９０ａをＯＦＦ→第２のマッサージ袋をＯＦＦ→第３のマッサージ袋をＯＦＦ→第４のマッサージ袋をＯＦＦ→第５のマッサージ袋をＯＦＦ→第６のマッサージ袋をＯＦＦさせる形態でも構わない。
【００７７】
また、第１のマッサージ袋９０ａ、第２のマッサージ袋９０ｂ、第３のマッサージ袋９０ｃ、第４のマッサージ袋９０ｄ、第５のマッサージ袋９０ｅ、第６のマッサージ袋９０ｆを同時にＯＮ→第１のマッサージ袋９０ａ、第２のマッサージ袋９０ｂ、第３のマッサージ袋９０ｃ、第４のマッサージ袋９０ｄ、第５のマッサージ袋９０ｅ、第６のマッサージ袋９０ｆを同時にＯＦＦさせる形態でも構わない。
【００７８】
また、実施例では、流体としてエアの形態を説明した。しかし、これに限定されるものでなく、各種の気体や液体であっても構わない。
【００７９】
また、実施例では、弾性部材としてダイアフラム３２の形態を説明した。しかし、これに限定されるものでなく、ゴムやエラストマ等であっても構わない。
【００８０】
また、実施例では、筐体２２の内圧が変動することによるダイアフラム３２の膨張や伸縮によって切替手段７０がフィルム弁体４０を作動させる形態を説明した。しかし、これに限定されるものでなく、駆動源（例えば、モータ等）によって外ラッチ５２を直に回転させることによって切替手段７０がフィルム弁体４０を作動させる形態でも構わない。その場合、ダイアフラム３２等が不要となる。
【符号の説明】
【００８１】
２０    バルブユニット
２２    筐体（ケース）
２４    入口
２６    排出口
２８    出口
３２    ダイアフラム（弾性部材）
４０    フィルム弁体（弁体）
４２    外側弁（排出口弁）
４６    内側弁（出口弁）
５０    切替手段
９０    マッサージ袋（負荷）
【図１】
0006641866.tif 000002
【図２】
0006641866.tif 000003
【図３】
0006641866.tif 000004
【図４】
0006641866.tif 000005
【図５】
0006641866.tif 000006
【図６】
0006641866.tif 000007
【図７】
0006641866.tif 000008
【図８】
0006641866.tif 000009
【図９】
0006641866.tif 000010
【図１０】
0006641866.tif 000011
【図１１】
0006641866.tif 000012
【図１２】
0006641866.tif 000013
【図１３】
0006641866.tif 000014
【図１４】
0006641866.tif 000015
【図１５】
0006641866.tif 000016
【図１６】
0006641866.tif 000017
【図１７】
0006641866.tif 000018
【図１８】
0006641866.tif 000019
【図１９】
0006641866.tif 000020
【図２０】
0006641866.tif 000021
【図２１】
0006641866.tif 000022
【図２２】
0006641866.tif 000023
【図２３】
0006641866.tif 000024